(57)【要約】      （修正有）【課題】取り付け場所の制限を受けずに、鏡等、その他平板上の曇り、汚れを、効率良く、除去できる、吸着型ワイパーを提供する。【解決手段】鏡２０の端部に吸着し固定される吸着板１と、前記吸着板１に設けられた回転軸支点３と、前記回転軸支点３のまわりを、回転が可能なワイパー棒２と、前記ワイパー棒２に設置されたふき取り部材２１とで構成した吸着型ワイパー１０とで構成される吸着型の外部取り付け型ワイパーとする。【選択図】図１
2018038991.tif 000002
【特許請求の範囲】
【請求項１】
平板に固定される吸着板と、前記吸着板に設けられた回転軸支点と、前記回転軸支点のまわりを、回転が可能なワイパー棒と、前記ワイパー棒に設置されたふき取り部材とで構成されることを特徴とする吸着型ワイパー。
【請求項２】
前記ワイパー棒の回転角度範囲は、５度以上から、２７０度以下の範囲であることを特徴とする請求項１記載の吸着型ワイパー。
【請求項３】
前記平板は、鏡であり、前記ワイパー棒は、前記鏡の領域内を回転することを特徴とする請求項１または２記載の吸着型ワイパー。
【請求項４】
前記平板は、鏡の周囲に設けられた鏡の枠、あるいは鏡の周辺の台座であり、
前記ワイパー棒は、前記鏡の領域内を回転することを特徴とする請求項１または２記載の吸着型ワイパー。
【発明の詳細な説明】
【技術分野】
【０００１】
本発明は、特に、鏡などの曇りを除去するために使用され、取り付け場所の制限を受けない吸着型ワイパーに関する。
【背景技術】
【０００２】
従来、洗面化粧台の鏡の曇り除去用のワイパーについては、各種、公開されている。
特許文献１には、防曇ミラーについて記載されており、前記防曇ミラーの鏡の表面に付着する水滴を拭き取るワイパーが備えられている。前記ワイパーは、前記鏡の前面下部などに設けられた溝の中に、普段は、収納されている。
【０００３】
特許文献２には、洗面化粧台の鏡の結露除去装置について記載されている。鏡表面を移動して、結露を流下させるワイパについて、図示されており、前記ワイパは、鏡の上下に設けられたガイドに沿って移動する。
【先行技術文献】
【特許文献】
【０００４】
【特許文献１】特開平１０−３３３３２号公報
【特許文献２】特開平１１−１０３９４４号公報
【発明の概要】
【発明が解決しようとする課題】
【０００５】
従来の特許文献１の洗面化粧台において、ワイパーは、前記鏡の前面下部などに設けられた溝の中に、普段は、収納されており、ワイパー専用の収納スペースが必要であって、洗面化粧台の構造が複雑となる問題点があった。
【０００６】
従来の特許文献２の洗面化粧台において、ワイパーは、鏡の上下のガイドに沿って
移動し、上下のガイドを設置する必要があり、洗面化粧台の構造が複雑となる問題点があった。
【０００７】
本発明の課題は、取り付け場所の制限を受けず、鏡等、その他平板上の曇り、汚れを、効率良く、除去できる、吸着型ワイパーを提供することである。
【課題を解決するための手段】
【０００８】
本発明の請求項１に係る発明は、平板に固定される吸着板と、前記吸着板に設けられた回転軸支点と、前記回転軸支点のまわりを、回転が可能なワイパー棒と、前記ワイパー棒に設置されたふき取り部材とで構成されることを特徴とする吸着型ワイパーである。
【０００９】
本発明の請求項２に係る発明は、前記ワイパー棒の回転角度範囲は、５度以上から、２７０度以下の範囲であることを特徴とする請求項１記載の取り付け型ワイパーである。
【００１０】
前記ワイパー棒の回転角度が、５度未満であると、低い角度を、使用者が調節することが困難となる不具合が発生する。また、前記ワイパー棒の回転角度が、２７０度を超えると、広範囲の角度範囲に対して、使用者が調節することが困難となる不具合が発生する。
【００１１】
本発明の請求項３に係る発明は、前記平板は、鏡であり、前記ワイパー棒は、前記鏡の領域内を回転することを特徴とする請求項１または２記載の取り付け型ワイパーである。
【００１２】
本発明の請求項４に係る発明は、前記平板は、鏡の周囲に設けられた鏡の枠、あるいは鏡の周辺の台座であり、前記ワイパー棒は、前記鏡の領域内を回転することを特徴とする請求項１または２記載の取り付け型ワイパーである。
【発明の効果】
【００１３】
請求項１に係る発明によれば、取り付け場所の制限を受けず、鏡等、平板上の曇りを、効率良く、除去できる、取り付け型ワイパーを提供できる。
【００１４】
請求項２に係る発明によれば、ワイパー棒を、広範囲に回転し、鏡の曇りを除去できる
取り付け型ワイパーを提供できる。
【００１５】
請求項３に係る発明によれば、鏡を取り付け場所として、鏡の曇りを、効率良く、除去できる、取り付け型ワイパーを提供できる。
【００１６】
請求項４に係る発明によれば、鏡の枠を取り付け場所として、鏡の曇りを、効率良く、除去できる、取り付け型ワイパーを提供できる。
【００１７】
本発明によれば、取り付け場所の制限を受けずに、鏡等、その他平板上の曇り、汚れを、効率良く、除去できる、吸着型ワイパーを提供することができる。
【図面の簡単な説明】
【００１８】
【図１】実施例１の吸着型ワイパーの図である。
【図２】図１の吸着型ワイパーの上面図。
【図３】実施例２の吸着型ワイパーの図である。
【図４】実施例３の吸着型ワイパーの図である。
【発明を実施するための形態】
【００１９】
本発明の実施の形態による外部取り付け型ワイパーは、平板に固定される吸着板と、前記吸着板に設けられた回転軸支点と、前記回転軸支点のまわりを、回転が可能なワイパー棒と、前記ワイパー棒に設置されたふき取り部材とで構成されることを特徴とする吸着型ワイパーである。
【００２０】
ここで、前記ワイパー棒の回転角度範囲は、５度以上から、２７０度以下の範囲であることを特徴とする請求項１記載の吸着型ワイパーである。前記ワイパー棒の回転角度が、５度未満であると、低い角度を、使用者が調節することが困難となる不具合が発生する。また、前記ワイパー棒の回転角度が、２７０度を超えると、広範囲の角度範囲に対して、使用者が調節することが困難となる不具合が発生する。
【００２１】
前記平板は、鏡であり、前記ワイパー棒は、前記鏡の領域内を回転することを特徴とする。また、前記平板は、鏡の周囲に設けられた鏡の枠、あるいは鏡の周辺の台座であり、
前記ワイパー棒は、前記鏡の領域内を回転することを特徴とする。
【実施例】
【００２２】
本発明の吸着型ワイパーの実施例について、以下説明する。
【００２３】
（実施例１）
図１は、実施例１の吸着型ワイパー１０の図である。
図１にて、吸着型ワイパー１０は、吸着板１に回転軸支点３が設けられ、
前記回転軸支点３は、ワイパー棒２の端部での中空穴（図示していない）を貫通しており、
前記ワイパー棒が、前記回転軸支点３のまわりを、所定の角度範囲内にて可動し、前記ワイパー棒に、ふき取り部２１が設けられ、また、使用者が作用する突起部４とで構成されている。
吸着板１は、鏡２０の４隅の端部上に、吸着して固定されている。
【００２４】
図２は、図１の吸着ワイパーの上面図である。
なお、現実には、鏡２０は、家屋の床に対して、垂直方向に保持されている。
吸着板１は、鏡２０の端部に吸着し、固定されており、ワイパー棒２は、使用者が作用する突起部４を、使用者が動かすことにより、ワイパー棒回転範囲５の間を移動する。
角度はαは、９０度以下の範囲となる。前記ワイパー棒２に設置された、ふき取り部２１によって、鏡２０の表面に生じた曇りを拭き取ることができる。
【００２５】
ここで、吸着板１の材質は、シリコンゴムなどが使用される。
回転軸支点３の材質、ワイパー棒２の材質は、プラスチックなどが使用される。
ふき取り部２１の材質は、水分を吸収し、除去しやすい、また、やわらかい布状の材質が使用される。
【００２６】
（実施例２）
図３は、実施例２の吸着型ワイパー１０の図である。なお、現実には、鏡２０は、家屋の床に対して、垂直方向に保持されている。
実施例２では、吸着型ワイパー１０の吸着板１は、鏡２０の端部の、ほぼ中間部分に吸着して固定されている。図３にて、吸着型ワイパー１０は、吸着板１に回転軸支点３が設けられ、前記回転軸支点３は、ワイパー棒２の端部での中空穴（図示していない）を貫通しており、前記ワイパー棒が、前記回転軸支点３のまわりを、所定の角度範囲内にて可動し、前記ワイパー棒に、ふき取り部２１が設けられ、また、使用者が作用する突起部４とで構成されている。
【００２７】
吸着板１は、鏡２０の端部の、ほぼ中間部分に吸着して固定されているので、ワイパー棒２は、使用者が作用する突起部４を、使用者が動かし、ワイパー棒回転範囲５の間を移動し、角度βを、最大１８０度とすると、鏡２０の平面部の大半を、ふき取り部２１が移動し、鏡２０の曇りを拭き取ることができる。
【００２８】
ここで、吸着板１の材質は、シリコンゴムなどが使用される。
回転軸支点３の材質、ワイパー棒２の材質は、プラスチックなどが使用される。
ふき取り部２１の材質は、水分を吸収し、除去しやすい、またやわらかい布状の材質が使用される。
【００２９】
（実施例３）
図４は、実施例３の吸着型ワイパー１０の図である。なお、現実には、鏡２０は、家屋の床に対して、垂直方向に保持されている。
実施例３では、吸着型ワイパー１０の吸着板１は、鏡２０の鏡の枠６の角の部分に吸着して固定されている。
図４にて、吸着型ワイパー１０は、吸着板１に回転軸支点３が設けられ、前記回転軸支点３は、ワイパー棒２の端部での中空穴（図示していない）を貫通しており、前記ワイパー棒が、前記回転軸支点３のまわりを、所定の角度範囲内にて可動し、前記ワイパー棒に、ふき取り部２１が設けられ、また、使用者が作用する突起部４とで構成されている。
【００３０】
吸着板１は、鏡２０の鏡の枠６の角の部分に吸着して固定されているので、ワイパー棒２は、使用者が作用する突起部４を、使用者が動かし、ワイパー棒回転範囲５の間を移動し、角度βを、最大９０度とすると、鏡２０の平面部の大半を、ふき取り部２１が移動し、鏡２０の曇りを拭き取ることができる。
【００３１】
ここで、吸着板１の材質は、シリコンゴムなどが使用される。
回転軸支点３の材質、ワイパー棒２の材質は、プラスチックなどが使用される。
ふき取り部２１の材質は、水分を吸収し、除去しやすい、またやわらかい布状の材質が使用される。
【００３２】
なお、実施例３では、鏡の枠６に、吸着板１が固定された例であるが、鏡の枠６に変えて、
鏡周辺の台座でも良い。
また、対象となる平面は、鏡だけでなく、机等の平板でも良い。
【産業上の利用可能性】
【００３３】
本発明によれば、取り付け場所の制限を受けず、鏡等、その他平板上の曇り、汚れを、効率良く、除去できる、吸着型ワイパーを提供することができ、産業の発展に寄与する。
【符号の説明】
【００３４】
１０    吸着型ワイパー
２０    鏡
１    吸着板
２    ワイパー棒
２１  ふき取り部
３    回転軸支点
４    使用者が作用する突起部
５    ワイパー棒回転範囲
６    鏡の枠
【図１】
2018038991.tif 000003
【図２】
2018038991.tif 000004
【図３】
2018038991.tif 000005
【図４】
2018038991.tif 000006